(57)【要約】      （修正有）【課題】どのような枚数のカードを収納しても倒れないように仕切りを取り外しすることができ、カードを探しやすいカードケースを提供する。【解決手段】カードケースＣＣは、矩形状のカードが重ね合わされて収納される直方体箱状のカード収納部を備え、カード収納部の底面の対面がカードの取り出し口となる開口が設けられ、カード収納部の側面の開口側に、収納される底面と垂直になる板を挿すための溝Ｄが設けられている。溝Ｄの幅以下の厚さの板状の仕切りＳが付属していて、仕切りＳは、カードケースＣＣに挿入した際にカードケースＣＣの高さよりも低い部分１２を有し、カードケースＣＣにカードを収納した際に、仕切りＳに突出する部分１１を有する。【選択図】図５
0003230520.tif 000002
【実用新案登録請求の範囲】
【請求項１】
矩形状のカードが重ね合わされて収納される直方体箱状のカード収納部を備え、前記カード収納部の底面の対面が前記カードの取り出し口となる開口が設けられ、前記カード収納部の側面の前記開口側に、収納される前記底面と垂直になる板を挿すための溝が設けられている、カードケース。
【請求項２】
前記溝の幅以下の厚さの板状の仕切りが付属していて、前記仕切りは、前記カードケースに挿入した際に前記カードケースの高さよりも低い部分を有し、前記カードケースにカードを収納した際に、前記仕切りに突出する部分を有することを特徴とする、請求項１に記載のカードケース。
【考案の詳細な説明】
【技術分野】
【０００１】本考案は、カードゲームを興じるためのカードを収納するためのカードケースに関するものである。
【背景技術】
【０００２】カードゲームは、トランプやタロットカードのように古くから親しまれているものから、キャラクターを使った対戦形式のゲームのようなものまで様々なものが存在する。
カードゲームは、袋状の包装容器に収納された状態で販売されたり、箱状容器に収納された状態で販売されることもある。
例えば、特許文献１の「銭湯シミュレーションカードゲームユニット、戦闘シミュレーションゲーム装置およびコンピュータプログラム」には、カードが５枚単位で、両端部が熱圧着された袋状のパッケージに封入された形で頒布されることが記載されている。
特許文献１に記載されているカードを封入するパッケージでは、カードを取り出した後は、廃棄されるため、カードを持ち歩くときには、カードケースが別に必要となる。カードケースとしては、例えば、特許文献２、３に記載された堅牢な合成樹脂製によるカードケースが知られている。
また、カードの束に対しては、現在流通している主なカードケースの形状としては、例えば特許文献４に記載された略直方体箱状のものが主流である。
【先行技術文献】
【特許文献】
【０００３】
【特許文献１】特開２００２−６５９３７号公報
【特許文献２】特開２００６−１８７３２９号公報
【特許文献３】特開２００７−１１７１８７号公報
【特許文献４】実用新案登録第３１７８３６０号
【考案の概要】
【考案が解決しようとする課題】
【０００５】しかし、特許文献４に記載されたようなただの略直方体箱状のカードケースでは、満杯付近までカードを収納しない限り、隙間が大きすぎて、カードが倒れてしまう。
【図８】
図５の状態のカードケースに、複数の仕切りを挿入した状態を、正面側から見た斜視図である。
【考案を実施するための形態】
【００１０】本発明の実施の形態に係るカードケースを図面に基づいて説明する。
図１に示す本発明の実施の形態に係るカードケースＣＣは、図２のように、複数のカードケースＣＣが連なり、アタッシュケースＡ内部に固定された状態で、管理や保管、販売、配布される。
【００１１】図２の状態のカードケースＣＣの蓋１０を閉じると、図３の状態になる。
【００１２】図１の状態のカードケースＣＣの溝Ｄに、図４に示す仕切りＳを差し込むと、図５の状態になる。
【００１３】図５の状態のカードケースＣＣに、カードＣを収納すると、図６の状態になる。これにより、図４の状態のカードケースＣＣに入れては倒れてしまう量のカードＣの束を入れる場合にも、仕切りＤを適切な場所に挿入することにより、倒れることを防ぐことが出来る。
【００１４】カードケースＣＣには溝Ｄを複数有しているので、図５の状態から図７の状態のように、仕切りＳの位置を変えることや、図８の状態のように、複数の仕切りで区切ることが出来る。
【００１５】図６の状態で示されるように、仕切りＳの上部は、カードＣよりも突出している部分１１を有し、そこに分類を書き込む等することで、どの場所にどんなカードがあるかを判別することが可能である。
【００１６】図６の状態で示されるように、仕切りＳは、カードケースＣＣの高さよりも低い部分１２を有し、１２指を入れることで、容易にカードを取り出すことが可能である。
【００１７】本実施の形態では、カードケースＣＣは複数連なっているが、単体でも良い。
【００１８】本実施の形態では、カードケースＣＣはアタッシュケースＡ内部に固定された状態となっているが、単体で利用しても良いし、固定されていなくても良いし、他のものの内部に挿入されていても良い。
【００１９】
【図１】
0003230520.tif 000003
【図２】
0003230520.tif 000004
【図５】
0003230520.tif 000005
【図６】
0003230520.tif 000006
【図７】
0003230520.tif 000007
【図８】
0003230520.tif 000008
【手続補正書】
【提出日】令和2年10月7日(2020.10.7)
【手続補正１】
【補正対象書類名】明細書
【補正対象項目名】全文
【補正方法】変更
【補正の内容】
【考案の詳細な説明】
【技術分野】
【０００１】本考案は、カードゲームを興じるためのカードを収納するためのカードケースに関するものである。
【背景技術】
【０００２】カードゲームは、トランプやタロットカードのように古くから親しまれているものから、キャラクターを使った対戦形式のゲームのようなものまで様々なものが存在する。
カードゲームは、袋状の包装容器に収納された状態で販売されたり、箱状容器に収納された状態で販売されることもある。
例えば、特許文献１の「銭湯シミュレーションカードゲームユニット、戦闘シミュレーションゲーム装置およびコンピュータプログラム」には、カードが５枚単位で、両端部が熱圧着された袋状のパッケージに封入された形で頒布されることが記載されている。
特許文献１に記載されているカードを封入するパッケージでは、カードを取り出した後は、廃棄されるため、カードを持ち歩くときには、カードケースが別に必要となる。カードケースとしては、例えば、特許文献２、３に記載された堅牢な合成樹脂製によるカードケースが知られている。
また、カードの束に対しては、現在流通している主なカードケースの形状としては、例えば特許文献４に記載された略直方体箱状のものが主流である。
【先行技術文献】
【特許文献】
【０００３】
【特許文献１】特開２００２−６５９３７号公報
【特許文献２】特開２００６−１８７３２９号公報
【特許文献３】特開２００７−１１７１８７号公報
【特許文献４】実用新案登録第３１７８３６０号
【考案の概要】
【考案が解決しようとする課題】
【０００４】しかし、特許文献４に記載されたようなただの略直方体箱状のカードケースでは、満杯付近までカードを収納しない限り、隙間が大きすぎて、カードが倒れてしまう。
カードが倒れないよう、一つの箱を小さく区切るように仕切を設置すると、逆に大きな束を分けなければ収納できなくなり、不便である。
また、多量のカードの束から目的のカードを探すことも、そのような単純なカードケースでは難しく、特定のカードを探す必要があるカードゲームにおいては、不便である。【０００５】そこで本発明は、どのような枚数のカードを収納しても倒れないように仕切りを取り外しすることができ、仕切りに分類を書き込んだシールを貼ることで、カードを探しやすいカードケースを提供することを目的とする。
【課題を解決するための手段】
【０００６】本考案のカードケースは、矩形状のカードが重ね合わされて収納される略直方体箱状のカード収納部を備え、前記カード収納部の底面の対面が前記カードの取り出し口となる開口が設けられ、前期カード収納部の側面の前記開口側に、収納される前記カードと平行になる板を挿すための溝が設けられていることを特徴とする。【０００７】また、本考案のカードケースは、前記カードケースの溝の大きさと同様の厚さの板状の仕切りが付属していて、前記仕切りは、前記カードケースの溝に差し込んだ時に、カードが取り出しやすいよう、前記仕切りの中央が大きく凹んでおり、前記カードケースにカードを収納した際に、前記仕切りに見えるようにシールを貼ることが可能となるよう、一部がカードよりも高い形状をしていることを特徴とする。
【図面の簡単な説明】
【０００８】
【図１】本考案の実施の形態に係るカードケース正面側から見た斜視図である。
【図２】図１に示すカードケースが複数連なり、アタッシュケース内部に固定されている状態の斜視図である。
【図３】図２に示すアタッシュケースの蓋を閉じた状態の斜視図である。
【図４】本考案の実施の形態に係る仕切りを正面から見た図である。
【図５】図１に示すカードケースに、図４に示す仕切りを挿入した状態を、正面側から見た斜視図である。
【図６】図５の状態のカードケースに、カードを挿入した状態を、正面側から見た斜視図である。
【図７】図５の状態のカードケースから、仕切りを挿入する位置を変えた状態を、正面側から見た斜視図である。
【図８】図５の状態のカードケースに、複数の仕切りを挿入した状態を、正面側から見た斜視図である。
【符号の説明】
【０００９】    ＣＣ  カードケース
Ｃ  カード
Ａ  アタッシュケース
Ｄ  溝
Ｓ  仕切り
１０  蓋
１１  仕切り上部
１２  仕切りの低い部分
【手続補正２】
【補正対象書類名】図面
【補正対象項目名】全図
【補正方法】変更
【補正の内容】
【図１】
0003230520.tif 000009
【図２】
0003230520.tif 000010
【図３】
0003230520.tif 000011
【図４】
0003230520.tif 000012
【図５】
0003230520.tif 000013
【図６】
0003230520.tif 000014
【図７】
0003230520.tif 000015
【図８】
0003230520.tif 000016